(57)【特許請求の範囲】
【請求項１】
回転するロールと、前記ロールの中空内部にあって、前記ロールの軸方向に沿って順次並んで配置された誘導発熱機構のための１２個の誘導コイルと、前記誘導コイルを励磁する三相電源とからなり、前記誘導コイルを、前記三相電源の線路電圧により励磁されるようにデルタ結線されてある第１のグループの３個の誘導コイルと、前記線路電圧により励磁されるようにスター結線されてあり、前記第１のグループのそれぞれの誘導コイルの、相回転方向に沿う隣接位置に順次配置される第２のグループの３個の誘導コイルと、前記三相電源の電圧を１８０度移相した移相電圧により励磁されるようにデルタ結線されてあり、前記第２のグループのそれぞれの誘導コイルの、相回転方向に沿う隣接位置に順次配置される第３のグループの３個の誘導コイルと、前記移相電圧により励磁されるようにスター結線されてあり、前記第３のグループのそれぞれの誘導コイルの、相回転方向に沿う隣接位置に順次配置される第４のグループの３個の誘導コイルとに分けてなる誘導発熱ローラ装置。
【請求項２】
前記１２個の誘導コイルの中で、１〜１２個のいずれかの個数の誘導コイルと並列にｘ個（ただし、ｘは１以上の整数）の誘導コイルを接続したことを特徴とする、請求項１に記載の誘導発熱ローラ装置。
【請求項３】
前記１２個の誘導コイルの配置位置に５〜１１個の誘導コイルを選択して配置し、誘導コイルに印加される電圧の位相差が３０度となるように接続したことを特徴とする、請求項１に記載の誘導発熱ローラ装置。
【発明の詳細な説明】
【０００１】
【発明の属する技術分野】
本発明は誘導発熱ローラ装置に関する。
【０００２】
【従来の技術】
周知のように誘導発熱ロール装置は、回転するロールの内部に、鉄心と、これに巻装された誘導コイルとからなる誘導発熱機構を備えている。この構成の一例を図５によって説明すると、１はロールで、架台２に対して軸受３によって回転可能に支持され、図示しない回転源によって回転駆動される。４はロール１の肉厚部分に形成されてあるジャケット室で、内部に気液二相の熱媒体が封入されてある。
【０００３】
ロール１の中空内部には、複数の誘導コイル５とこれが巻装されてある鉄心６とによって誘導発熱機構７が構成されてある。８は各誘導コイル間に介在している磁性円板、９は誘導発熱機構７を支持する支持ロッドで、これは軸受１０を介してロール１に連なるジャーナル１１の内部に支持されている。１２は誘導コイル５のリード線で、支持ロッド９内を通って外部に導出され、外部の交流電源に接続されている。
【０００４】
ところで誘導コイルの励磁に三相電源を利用することが行われている。これは三相電源が身近にあることに基づくものであるが、周知のように三相電源のＵ，Ｖ，Ｗ相の相電圧の位相差は１２０度であるから、誘導コイルを３個用意し、そのそれぞれに前記相電圧のそれぞれを印加するとき、隣合う誘導コイルの間に対峠するロールの２個所において他の個所よりも表面温度が低くなることが知られている。
【０００５】
この温度低下を減少させるためには、隣合う誘導コイルに印加される電圧の位相差を小さくすればよいことに着目し、三相電圧を一次電圧とし、４相以上の多相の二次電圧を発生する多相変圧器を用意し、この二次電圧のそれぞれを、４個以上用意された誘導コイルのそれぞれに印加するようにした構成が、既に提案されている（特開平９−７７５４号公報参照。）。
【０００６】
これによれば、隣合う誘導コイルに印加される電圧の位相差は１２０度より小さくすることができるので、三相電圧をそのまま誘導コイルに印加する場合よりも、ロール表面における局部的な温度低下を減少させることができる。しかしこの構成では多相変圧器を使用する必要があるので、製作費が高騰し、また多相変圧器を設置するための据付場所も必要となる欠点がある。
【０００７】
これを解決するために、三相電圧をそのまま励磁電圧とし、たとえば１２個の誘導コイルをそれぞれデルタ結線（またはスター結線）された４個のグループに分ち、三相電圧により励磁される第１の誘導コイルに対して、三相電圧を１８０度移相した三相電圧により励磁される第２のグループの誘導コイルを相回転方向に沿って第１のグループの誘導コイルの間に配置し、さらに第１のグループの誘導コイルおよび第２のグループの誘導コイルの分電圧を合成した電圧を励磁電圧とする第３および第４のグループの誘導コイルを、第１のグループの誘導コイルおよび第２のグループの誘導コイルの間に配置した構成が、本発明者によってさきに提案されている（特願２０００−０５８１８２号）。
【０００８】
これによれば隣合う各誘導コイルに印加される励磁電圧の位相差は３０度となり、したがって多相変圧器を使用することなく、単に誘導コイル同志の接続のみによってロールの表面温度の均一化が図れるようになる。しかしこの構成によれば、第３および第４のグループの誘導コイルには、第１および第２のグループの誘導コイルの分電圧を合成して印加する必要があり、そのために第１および第２のグループの誘導コイルから中間タップを引出し、この中間タップ間に第３および第４のグループの誘導コイルを接続しなければならない。したがってその構成は煩雑となり、製作も容易ではない。
【０００９】
【発明が解決しようとする課題】
本発明は、三相電源を電源とし、ロールの中空内部に配置される１２個の誘導コイルのうちの隣合う誘導コイルのそれぞれに、互いに位相差が３０度の電圧を励磁電圧として印加するにあたり、多相変圧器を使用することなく、誘導コイル同志の接続のみによって、位相差が３０度の励磁電圧の印加を可能にすることを目的とする。
【００１０】
【課題を解決するための手段】
請求項１に係る発明は、ロールの内部にあって、ロールの軸方向に沿って順次並んで配置された誘導発熱機構のための１２個の誘導コイルを、三相電源の線路電圧により励磁されるようにデルタ結線されてある第１のグループの３個の誘導コイルと、前記線路電圧により励磁されるようにスター結線されてあり、前記第１のグループのそれぞれの誘導コイルの、相回転方向に沿う隣接位置に順次配置される第２のグループの３個の誘導コイルと、前記三相電源の電圧を１８０度移相した移相電圧により励磁されるようにデルタ結線されてあり、前記第２のグループのそれぞれの誘導コイルの、相回転方向に沿う隣接位置に順次配置される第３のグループの３個の誘導コイルと、前記移相電圧により励磁されるようにスター結線されてあり、前記第３のグループのそれぞれの誘導コイルの、相回転方向に沿う隣接位置に順次配置される第４のグループの３個の誘導コイルとに分けて構成したことを特徴とする。また、請求項２に係る発明は、請求項１に記載の誘導発熱ローラ装置において、前記１２個の誘導コイルの中で、１〜１２個のいずれかの個数の誘導コイルと並列にｘ個（ただし、ｘは１以上の整数）の誘導コイルを接続したことを特徴とする。更に、請求項３に係る発明は、請求項１に記載の誘導発熱ローラ装置において、前記１２個の誘導コイルの配置位置に５〜１１個の誘導コイルを選択して配置し、誘導コイルに印加される電圧の位相差が３０度となるように接続したことを特徴とする。
【００１１】
すべての誘導コイルには、順次３０度の位相差の電圧が印加されるので、多相変圧器の二次電圧をそれぞれ印加したのと同じことになる。そしてそのために誘導コイル同志の接続のみによって実施しているので、多相変圧器を必要とはしない。
【００１２】
【発明の実施の形態】
本発明の実施態様を図によって説明する。図５に示すように誘導コイル５を１２個用意し、これを４個のグループに分ける。第１のグループの３個の誘導コイルｍ、ｄ、ｈは、三相電源のＵ，Ｖ，Ｗ相の相間にデルタ結線される。第２のグループの３個の誘導コイルａ，ｅ，ｉは、同じ三相電源の相間にスター結線される。第３のグループの３個の誘導コイルｂ，ｆ，ｊは、三相電源のＵ，Ｖ，Ｗ相の電圧を１８０度移相した三相電圧の相間にデルタ結線される。第４のグループの３個の誘導コイルｃ，ｇ，ｋは、同じく三相電源の電圧を１８０度移相した三相電圧の相間にスター結線される。
【００１３】
これをさらに図３とともに説明すると、三相電源のＵ、Ｖ、Ｗ相の各タップをｕ，ｖ，ｗとした場合、タップｕ，ｖ，ｗ間に第１のグループの誘導コイルをデルタ結線し、第２のグループの誘導コイルをスター結線する。次いで三相電源のＵ、Ｖ、Ｗ相の電圧を１８０度移相した電圧が与えられる三相電源の各タップをｘ，ｙ，ｚとした場合、タップｘ，ｙ，ｚ間に第３のグループの誘導コイルをデルタ結線し、また第４のグループの誘導コイルをスター結線する。Ｎ１，Ｎ２はスター結線の中性点である。
【００１４】
このような接続関係においては、第１および第２のグループの各誘導コイルに印加される電圧の位相差はそれぞれ１２０度であるが、第１および第２のグループの各誘導コイルは共通のタップｕ，ｖ．ｗに接続されているので、誘導コイルｍ，ａに印加される電圧の位相差は３０度となる。以下同様に同じタップに接続されている第１及び第２のグループの誘導コイルに印加される電圧の位相差は３０度となる。第３および第４のグループの誘導コイルについても同じことが言える。各誘導コイルの印加電圧の位相差の関係を示したのが図２の地形図である。
【００１５】
このように接続された第１乃至第４の各誘導コイルをロール１の内部にその軸方向に沿って並べて配置するのであるが、まず第１のグループの誘導コイルｍ，ｄ，ｈをロール１の軸方向に沿って並べる。次ぎに第２のグループの誘導コイルａ，ｅ，ｉを、第１のグループの誘導コイルｍ，ｄ，ｈの、相回転方向に沿って隣接する位置に順次配置する。
【００１６】
次ぎに第３のグループの誘導コイルｂ，ｆ，ｊを、第２のグループの誘導コイルａ，ｅ，ｉの、相回転方向に沿って隣接する位置に順次配置する。次ぎに第４のグループの誘導コイルｃ，ｇ，ｋを、第３のグループの誘導コイルｂ，ｆ，ｊの、相回転方向に沿って隣接する位置に順次配置する。このような配置関係を示したのが図４である。この場合配置順序の始発点はどこであってもよく、また順序向きは逆であってもよい。
【００１７】
したがって前記した順序にしたがって各誘導コイルをロール１の内部に軸方向に沿って配置し、三相電源によって励磁すれば、隣合う誘導コイルの励磁電圧の位相差はすべて３０度となる。これによって隣合う誘導コイルの間と向かいあうロール表面の温度低下は極力小さくなり、ロール表面の温度分布は均一化されるようになる。
【００１８】
ここでＵ，Ｖ，Ｗ相の線間電圧をＥ、相電流をＩとすれば、第１および第３のグループの誘導コイルに印加される電圧Ｅｄは、それぞれＥ、第２および第４のグループの誘導コイルに印加される電圧Ｅｓは、それぞれＥ／√３（したがってＥ＝√３×Ｅｓ）である。また相電流は第１乃至第４のグループに分流されるので、第１および第３のグループの誘導コイルに流れる電流Ｉｄは、それぞれＩ／４√３（したがってＩ＝４×√３×Ｉｄ）、第２および第４のグループの誘導コイルに流れる電流Ｉｓは、それぞれＩ／４（したがってＩ＝４×Ｉｓ）である。
【００１９】
各誘導コイル励磁されてロールを誘導発熱するとき、ロールの加熱温度をすべて同じとするべく、誘導コイルのロール面長当りのアンペアターンが同じとなるように巻数、コイル幅、抵抗などが設定されてあるので、したがって誘導コイルの容量Ｐ（ＶＡ）は、第１および第３のグループの誘導コイルの容量Ｐ１については、
0004215941.tif 000002
第２および第４のグループの誘導コイルの容量Ｐ２については、
0004215941.tif 000003
よって
Ｐ＝Ｐ１＋Ｐ２＝√３×Ｅ×Ｉ＝６×Ｅ×Ｉｄ＋６×Ｅｓ×Ｉｓ
となる。
【００２０】
図６は本発明の他の実施態様を示す配線図、図７は図６の誘導コイルを相回転方向に沿って並べた配線図、図８は図６の実施態様に対応する誘導発熱ロール装置の断面図である。次に、図６〜図８に示された例について説明する。この実施態様においては、図６に示されたように三相電源にスタ−結線されている誘導コイルａと並列に誘導コイルｎを接続している。
【００２１】
誘導コイルｎは、図７の配線図に示されているように、Ｕ相のタップｕとスタ−結線の中性点Ｎ１間に接続されている。この結線は誘導コイルａと同じであり、電圧ベクトルの大きさと方向は、誘導コイルａと同じになる。すなわち、図２において、誘導コイルａの電圧ベクトルはｕ点から中性点Ｎ１方向に向き、ｕ−Ｎ１の長さで表されるが、誘導コイルｎの電圧ベクトルも同様の大きさ（長さ）と方向で表されることになる。
【００２２】
図１に示された１２個の誘導コイルに、図７に示されたように誘導コイルｎを追加して結線することにより、誘導コイルの個数は１３個となる。この場合の誘導コイルの配置は、図８に示されているように、ロ−ル１の中空内部に長手方向に１３個の誘導コイル５を鉄心６に巻装する。このように、１３個の誘導コイルを配置することにより、１２個の誘導コイルの配置では対応できない、ロ−ルの長さや、ロ−ル表面の発熱分布の特性に適合した、誘導発熱ローラ装置を提供することが可能となる。
【００２３】
図６の例では、三相電源にスタ−結線されている誘導コイルａと並列に誘導コイルｎを接続しているが、追加して結線される誘導コイルｎは、その他の誘導コイルと並列に接続することができる。すなわち、他のスタ−結線されている誘導コイルｅ、ｉ、１８０度移相した三相電源にスタ−結線されている誘導コイルｃ、ｇ、ｋのいずれの誘導コイルに接続しても良い。また、誘導コイルｎを三相電源にデルタ結線されている誘導コイルｍ、ｄ、ｈ、または、１８０度移相した三相電源にデルタ結線されている誘導コイルｂ、ｆ、ｊと並列に接続することも可能である。
【００２４】
図９は本発明の他の実施態様を示す配線図、図１０は図９の誘導コイルを相回転方向に沿って並べた配線図である。次に、図９、図１０に示された例について説明する。この実施態様においては、図９に示されたように三相電源にスタ−結線されている誘導コイルａと並列に誘導コイルｎを接続し、更に１８０度移相した三相電源にデルタ結線されている誘導コイルｂと並列に誘導コイルｏを接続するものである。
【００２５】
誘導コイルｎの電圧ベクトルの大きさと方向は、前記のように誘導コイルａと同じになる。また、誘導コイルｏの電圧ベクトルの大きさと方向は、誘導コイルｂと同じになる。このことは、図１０の配線図に示されているように、誘導コイルｂ、ｏは、三相電源Ｕ、Ｖ、Ｗ相の電圧を１８０度移相した電圧が与えられる三相電源のタップｘ−ｚに接続されていることからも明らかである。
【００２６】
１２個の誘導コイルに誘導コイルｎと誘導コイルｏを追加して結線することにより、誘導コイルの個数は１４個となる。この場合の誘導コイルの配置は、図示を省略しているが、図５においてロ−ル１の中空内部に長手方向に１４個の誘導コイル５を鉄心６に巻装する構成となる。このように、１４個の誘導コイルを配置することによっても、１２個の誘導コイルの配置では対応できない、ロ−ルの長さや、ロ−ル表面の発熱分布の特性に適合した誘導発熱ローラ装置を提供することが可能となる。
【００２７】
図９の例では、三相電源にスタ−結線されている誘導コイルａと並列に誘導コイルｎを接続し、１８０度移相した三相電源にデルタ結線されている誘導コイルｂと並列に誘導コイルｏを接続しているが、追加して結線される誘導コイルｎと誘導コイルｏは、その他の誘導コイルと並列に接続することができる。すなわち、他のスタ−結線されている誘導コイルｅ、ｉ、１８０度移相した三相電源にスタ−結線されている誘導コイルｃ、ｇ、ｋのいずれの誘導コイルに接続しても良い。また、誘導コイルｎと誘導コイルｏとをそれぞれ、三相電源にデルタ結線されている誘導コイルｍ、ｄ、ｈ、または、１８０度移相した三相電源にデルタ結線されている誘導コイルｆ、ｊと並列に接続することも可能である。
【００２８】
図１１は本発明の他の実施態様を示す配線図、図１２は図１１の誘導コイルを相回転方向に沿って並べた配線図である。次に、図１１、図１２に示された例について説明する。この実施態様においては、図１１に示されたように三相電源にスタ−結線されている誘導コイルａと並列に誘導コイルｎを接続し、誘導コイルｅと並列に誘導コイルｒを接続する。また、三相電源にデルタ結線されている誘導コイルｄと並列に誘導コイルｑを接続する。
【００２９】
更に１８０度移相した三相電源にスタ−結線されている誘導コイルｇと並列に誘導コイルｔを接続し、誘導コイルｃと並列に誘導コイルｐを接続する。また、１８０度移相した三相電源にデルタ結線されている誘導コイルｂと並列に誘導コイルｏを接続し、誘導コイルｆと並列に誘導コイルｓを接続する。
【００３０】
図１２の配線図から、前記図１０で説明したと同様の理由により、追加して並列に接続された誘導コイルｎ、ｒ、ｑの電圧ベクトルの大きさと方向は、当初から接続されている誘導コイルａ、ｅ、ｄと同じである。また、追加して並列に接続された誘導コイルｐ、ｔ、ｏ、ｓの電圧ベクトルの大きさと方向も、当初から接続されている誘導コイルｃ、ｇ、ｂ、ｆと同じになることがわかる。
【００３１】
図６〜図１２の例では、１２個の誘導コイルの一部に追加の誘導コイルを並列に接続しているが、１２個すべての誘導コイルに追加の誘導コイルを並列に接続しても良い。また、各誘導コイルに追加して並列に接続される誘導コイルは、１個に限らず、複数個でもよい。誘導コイルの総数は、ロ−ルの長さや、ロ−ル表面の発熱分布の特性を考慮して適宜定められる。このように、本発明においては、前記当初配置されている１２個の誘導コイルの中で、１〜１２個のいずれかの個数の誘導コイルと並列に、ｘ個（ただし、ｘは１以上の整数とする）の誘導コイルを接続する構成とすることができる。
【００３２】
前記図６〜図１２の例は、当初配置されている１２個の誘導コイルの１〜１２個のいずれかの個数の誘導コイルに、誘導コイルを並列に接続して誘導コイルの総数を増加している。本発明は、隣接位置に配置された誘導コイルに印加される電圧の位相差が３０度となるように誘導コイルを配置する場合には、当初配置されている１２個の誘導コイルを減少させた場合においても成立するものである。
【００３３】
図１３は本発明の他の実施態様を示す配線図、図１４は図１３の例のベクトル図、図１５は図１３の誘導コイルを相回転方向に沿って並べた配線図、図１６は図１３の実施態様に対応する誘導発熱ロール装置の断面図である。
【００３４】
次に、図１３〜図１６に示された例について説明する。この実施態様においては、図１の配線図において三相電源にスタ−結線されている誘導コイルｉ、三相電源にデルタ結線されている誘導コイルｍ、ｈを除去する。また、１８０度移相した三相電源にスタ−結線されている誘導コイルｇ、ｋを除去する。更に、１８０度移相した三相電源にデルタ結線されている誘導コイルｊを除去する。すなわち、１２個の誘導コイルから６個の誘導コイルを除去して、誘導コイルの個数を６個としている。
【００３５】
図１４のベクトル図と、図１５の配線図を参照すると、図１３のような構成においても、隣接位置に配置された誘導コイルに印加される電圧の位相差は３０度となっている。すなわち、隣接位置に配置された誘導コイル（ａ、ｂ）、（ｂ、ｃ）、（ｃ、ｄ）、（ｄ、ｅ）、（ｅ、ｆ）に印加される電圧の位相差は、図１４のベクトル図を参照すると３０度である。
【００３６】
この場合の誘導コイルの配置は、図１６に示されているように、ロ−ル１の中空内部に長手方向に６個の誘導コイル５を鉄心６に巻装する。このように、６個の誘導コイルを用いる場合においても隣合う誘導コイルの励磁電圧の位相差を３０度とすることができるので、従来のような多相変圧器を使用する必要なく、ロールの表面温度の均一化を図ることができる効果を奏する。また、図１の例よりも誘導コイルの個数を低減しているので、製作が容易であり、コストを削減することができる。
【００３７】
図１７は本発明の他の実施態様を示す配線図、図１８は図１７の例のベクトル図、図１９は図１７の誘導コイルを相回転方向に沿って並べた配線図、図２０は図１７の実施態様に対応する誘導発熱ロール装置の断面図である。
【００３８】
次に、図１７〜図２０に示された例について説明する。この実施態様においては、図１の配線図において三相電源にスタ−結線されている誘導コイルｉ、三相電源にデルタ結線されている誘導コイルｍ、ｈを除去する。また、１８０度移相した三相電源にスタ−結線されている誘導コイルｇ、ｋを除去する。更に、１８０度移相した三相電源にデルタ結線されている誘導コイルｊ、ｆを除去する。すなわち、１２個の誘導コイルから７個の誘導コイルを除去して、誘導コイルの個数を５個としている。
【００３９】
図１８のベクトル図と、図１９の配線図を参照すると、図１７のように誘導コイルの個数を５個とする構成においても、隣接位置に配置された誘導コイルに印加される電圧の位相差は３０度となっている。すなわち、隣接位置に配置された誘導コイル（ａ、ｂ）、（ｂ、ｃ）、（ｃ、ｄ）、（ｄ、ｅ）に印加される電圧の位相差は、図１１８のベクトル図を参照すると３０度である。
【００４０】
この場合の誘導コイルの配置は、図２０に示されているように、ロ−ル１の中空内部に長手方向に５個の誘導コイル５を鉄心６に巻装する。このように、５個の誘導コイルを用いる場合においても隣合う誘導コイルの励磁電圧の位相差を３０度とすることができるので、ロールの表面温度の均一化を図ることができる。また、少ない誘導コイルを用いているので製作が容易であり、コストを削減することができる。
【００４１】
図２１は本発明の他の実施態様を示す配線図、図２２は図２１の誘導コイルを相回転方向に沿って並べた配線図、図２３は図２１の実施態様に対応する誘導発熱ロール装置の断面図である。
【００４２】
次に、図２１〜図２３に示された例について説明する。この実施態様においては、図１の配線図において三相電源にスタ−結線されている誘導コイルｉ、三相電源にデルタ結線されている誘導コイルｍ、ｈを除去する。また、１８０度移相した三相電源にスタ−結線されている誘導コイルｋを除去する。更に、１８０度移相した三相電源にデルタ結線されている誘導コイルｊを除去する。すなわち、１２個の誘導コイルから５個の誘導コイルを除去して、誘導コイルの個数を７個としている。
【００４３】
図２１の例ではベクトル図を省略しているが、前記図１３〜図２０の例と同様に、隣接位置に配置された誘導コイルに印加される電圧の位相差は３０度となっている。すなわち、図２２の配線図において、隣接位置に配置された誘導コイル（ａ、ｂ）、（ｂ、ｃ）、（ｃ、ｄ）、（ｄ、ｅ）、（ｅ、ｆ）、（ｆ、ｇ）に印加される電圧の位相差は、それぞれ３０度である。
【００４４】
この場合の誘導コイルの配置は、図２３に示されているように、ロ−ル１の中空内部に長手方向に６個の誘導コイル５を鉄心６に巻装する。このように、７個の誘導コイルを用いる場合においても隣合う誘導コイルの励磁電圧の位相差を３０度とすることができるので、ロールの表面温度の均一化が図れ、製作が容易であり、コストを削減することができる。
【００４５】
図２４は本発明の他の実施態様を示す配線図、図２５は図２１の誘導コイルを相回転方向に沿って並べた配線図である。次に、図２４、２５に示された例について説明する。この実施態様においては、図１の配線図において三相電源にデルタ結線されている誘導コイルｍ１個を除去する。すなわち、誘導コイルの個数を１１個としている。
【００４６】
図２４の例でもベクトル図を省略しているが、前記図１３〜図２３の例と同様に、隣接位置に配置された誘導コイルに印加される電圧の位相差は３０度となっている。すなわち、図２５の配線図において、隣接位置に配置された誘導コイル（ａ、ｂ）、（ｂ、ｃ）、（ｃ、ｄ）、（ｄ、ｅ）、（ｅ、ｆ）、（ｆ、ｇ）、（ｇ、ｈ）、（ｈ、ｉ）、（ｉ、ｊ）、（ｊ、ｋ）に印加される電圧の位相差は、それぞれ３０度である。このように、１１個の誘導コイルを用いる場合においても、隣合う誘導コイルの励磁電圧の位相差を３０度とすることができるので、ロールの表面温度の均一化が図れ、製作が容易であり、コストを削減することができる。
【００４７】
なお、前記図１３〜図２５の例で「図１に示された１２個の誘導コイルから、所定個数の誘導コイルを除去する」旨の説明をしている。この「誘導コイルの除去」の意味は、図１に記載されているような１２個の誘導コイルの配置位置に５〜１１個の誘導コイルを選択して配置する、との趣旨であり、一旦１２個の誘導コイルを配置して、その中から所定数の誘導コイルを除去する、という意味ではない。このように、本発明は、図１に記載されているような１２個の誘導コイルの配置位置に５〜１１個の誘導コイルを選択して配置し、誘導コイルに印加される電圧の位相差が３０度となるように接続した場合でも成立するものである。
【００４８】
本発明は、図１のように１２個の誘導コイルの配置と結線を基本的な構成として、誘導コイル数を増加させた場合と、下限の個数を５個として誘導コイルの個数を減少させた場合にも成立する。この際に、各誘導コイルのロ−ル面長当りのアンペアタ−ンを同じに設定して、ロ−ルの誘導発熱温度が全て同じとなるようにしている。すなわち、各誘導コイルのアンペアタ−ンが同じになるように、巻数、コイル幅、抵抗値等を設定している。このように各誘導コイルのアンペアタ−ンを同じに設定しているので、ロールの表面温度の均一化を図ると共に、力率が改善される。
【００４９】
【発明の効果】
以上説明したように請求項１に係る発明によれば、ロール内に順次直列に配列される複数の誘導コイルを三相電源を利用して励磁するにあたり、１２個の誘導コイルの接続と配置を考慮するだけで、隣合う誘導コイルの励磁電圧の位相差を３０度とすることができるので、従来のような多相変圧器を使用する必要なく、ロールの表面温度の均一化を図ることができる効果を奏する。
【００５０】
また、請求項２に係る発明は、１３個以上の誘導コイルを配置することにより、ロ−ルの長さや、ロ−ル表面の発熱分布の特性に対応した誘導発熱ローラ装置を構成することができる。更に、隣合う誘導コイルの励磁電圧の位相差を３０度とすることができるので、ロールの表面温度の均一化が図れる。
【００５１】
また、請求項３に係る発明は、５個〜１１個の誘導コイルを用いる場合においても隣合う誘導コイルの励磁電圧の位相差を３０度とすることができるので、ロールの表面温度の均一化が図れる。また、誘導コイルの個数を少なくするので誘導発熱ローラ装置の製作が容易であり、コストを削減することができる。
【図面の簡単な説明】
【図１】本発明の実施態様を示す配線図である。
【図２】図１における地形図である。
【図３】図１に示す配線を分離して示した配線図である。
【図４】図１の誘導コイルを相回転方向に沿って並べた配線図である。
【図５】誘導発熱ロール装置の断面図である。
【図６】本発明の他の実施態様を示す配線図である。
【図７】図６の誘導コイルを相回転方向に沿って並べた配線図である。
【図８】図６の実施態様に対応する誘導発熱ロール装置の断面図である。
【図９】本発明の他の実施態様を示す配線図である。
【図１０】図９の誘導コイルを相回転方向に沿って並べた配線図である。
【図１１】本発明の他の実施態様を示す配線図である。
【図１２】図１１の誘導コイルを相回転方向に沿って並べた配線図である。
【図１３】本発明の他の実施態様を示す配線図である。
【図１４】図１３の実施態様のベクトル図である。
【図１５】図１３の誘導コイルを相回転方向に沿って並べた配線図である。
【図１６】図１３の実施態様に対応する誘導発熱ロール装置の断面図である。
【図１７】本発明の他の実施態様を示す配線図である。
【図１８】図１７の実施態様のベクトル図である。
【図１９】図１７の誘導コイルを相回転方向に沿って並べた配線図である。
【図２０】図１７の実施態様に対応する誘導発熱ロール装置の断面図である。
【図２１】本発明の他の実施態様を示す配線図である。
【図２２】図２１の誘導コイルを相回転方向に沿って並べた配線図である。
【図２３】図２１の実施態様に対応する誘導発熱ロール装置の断面図である。
【図２４】本発明の他の実施態様を示す配線図である。
【図２５】図２４の誘導コイルを相回転方向に沿って並べた配線図である。
【符号の説明】
１  ロール
７  誘導発熱機構
ｍ，ｄ，ｈ  第１のグループの誘導コイル
ａ，ｅ，ｉ  第２のグループの誘導コイル
ｂ，ｆ，ｊ  第３のグループの誘導コイル
ｃ，ｇ，ｋ  第４のグループの誘導コイル
Ｕ，Ｖ，Ｗ  三相線路
ｕ，ｖ，ｗ  三相電圧が印加されるタップ
ｘ，ｙ，ｚ  三相電圧を１８０度移相した電圧が印加されるタップ
【図１】
0004215941.tif 000004
【図２】
0004215941.tif 000005
【図３】
0004215941.tif 000006
【図４】
0004215941.tif 000007
【図５】
0004215941.tif 000008
【図６】
0004215941.tif 000009
【図７】
0004215941.tif 000010
【図８】
0004215941.tif 000011
【図９】
0004215941.tif 000012
【図１０】
0004215941.tif 000013
【図１１】
0004215941.tif 000014
【図１２】
0004215941.tif 000015
【図１３】
0004215941.tif 000016
【図１４】
0004215941.tif 000017
【図１５】
0004215941.tif 000018
【図１６】
0004215941.tif 000019
【図１７】
0004215941.tif 000020
【図１８】
0004215941.tif 000021
【図１９】
0004215941.tif 000022
【図２０】
0004215941.tif 000023
【図２１】
0004215941.tif 000024
【図２２】
0004215941.tif 000025
【図２３】
0004215941.tif 000026
【図２４】
0004215941.tif 000027
【図２５】
0004215941.tif 000028